(57)【要約】      （修正有）【課題】電子天びんの風防ケースのガラス戸の開閉と電源ケーブルが干渉しないようにした電子天びんを提供する。【解決手段】計量皿２３を支承してその荷重を計量する計量本体部２上に開閉可能な右側面ガラス３１と左側面ガラス３２を備えた風防ケース３と収納室５で計量皿２３を包囲して秤量室４を形成する。収納室５は電源部５１を内設し、電源供給ケーブル６を接続するソケット５２とＤＡＴＡ通信用のＩ／Ｏケーブル７を接続するソケット５３を後部に固設する。計量本体部２は後部に前記電源供給ケーブル６およびＩ／Ｏケーブル７を挿入する縦溝を形成し、挿入されたケーブルを押圧するバネ部材を固着したケーブル係止部材９を固設し、ケーブル係止点を風防ケース３の下位位置にする。【選択図】図１
0003157257.tif 000002
【実用新案登録請求の範囲】
【請求項１】
両側面ガラスを開閉可能に嵌合した風防ケースと外部と電気接続を行なうソケットを後部に配設した収納室とを計量皿を支承する計量本体部上に配設して秤量室を形成する電子天びんにおいて、前記収納室に電源部を収納するとともに、前記計量本体部の後部に前記側面ガラスの開閉路への外部との接続ケーブルの侵入を阻止するケーブル侵入阻止手段を設けたことを特徴とする電子天びん。
【請求項２】
前記ケーブル侵入阻止手段は、接続ケーブルを係止する係止部位と盗難防止リングチェーンを巻着する貫通孔を設けたケーブル係止部位を有するものであることを特徴とする請求項１記載の電子天びん。
【考案の詳細な説明】
【技術分野】
【０００１】
本考案は、電子天びんに関し、特に０．１ｍｇ以下の読取分解能を有する高精度の電子天びんに関する。
【背景技術】
【０００２】
電子天びんは、計量皿に載置された被計量物の荷重を、計量皿軸を介して半導体あるいは電磁力バランス式の荷重センサに伝達するとともに、荷重センサによって検出された荷重検出信号を一定時間ごとにサンプリングしてディジタル信号に変換し、このディジタル信号をマイクロコンピュータによる演算処理でデータ処理して計量値を算出し、この計量値を表示器に表示させるものである。
【０００３】
特に０．１ｍｇ以下の読取可能な高精度、高分解能の電子天びんにおいては、外部からの風によって起こる空気の対流や温度変化による影響が誤差要因となるため、これらの誤差要因の影響を除去するために風防手段が用いられている。この風防手段は図５の電子天びん１０の外観斜視図に示すとおり、矢印の前後方向に開閉可能な右側面ガラス３１、左側面ガラス３２および上面ガラス３３、固定された前面ガラス３４およびこれらの各ガラスを嵌合する枠体３５で構成された風防ケース３と、発熱の大きい電源部を収納する収納室５Ａを計量本体部２０上の計量皿２３を包囲すべく配設して秤量室４を形成し、設置環境における外部影響を遮断するものである。
【０００４】
上記電子天びん１０において、被計量物の出し入れを例えば右側面から行なう場合、右側面ガラス３１を後方（矢印方向）に移動して開いて被計量物を計量皿２３に載置した後、右側面ガラス３１を前方に移動して閉じた状態で計量を行なう（特許文献１参照。）。
【０００５】
通常、上記電子天びん１０には計量レンジ切換えや校正等を指令するための複数個の操作スイッチ２１と計量値を表示する表示器２２が計量本体部２０の前面に装着されている。また、図６の電子天びん１０の上面図（Ａ）および背面図（Ｂ）に示すように収納室５Ａの後面にはＡＣ電源またはＡＣアダプタからのＤＣ電源を供給する電源供給ケーブル６を接続するソケット５２やパソコンや電子プリンタとデータ通信を行なうためのＩ／Ｏケーブル７を接続するソケット５３が固定設置されている。さらに、前記計量本体部２０の後面に盗難防止用のリングチェーンを結合しておくための盗難防止部材１１が固設されているものも使用されている。
【先行技術文献】
【特許文献】
【０００６】
【特許文献１】特開２００５−１８９２１８号公報
【考案の概要】
【考案が解決しようとする課題】
【０００７】
しかしながら前記電子天びん１０において、被計量物の計量を行なうために風防ケース３の右側面ガラス３１を開く場合、図６（Ａ）に示すように右側面ガラス３１とＩ／Ｏケーブル７とが接触したり、また左側面ガラス３２を開く場合、電源供給ケーブル６と接触して充分に開かず被計量物の出し入れに支障をきたすという問題がある。
【０００８】
本考案は、荷重検出部から上昇する気流を低減するとともに、電源供給ケーブルに風防ケースの左右側面ガラスが接触せずに開閉可能な電子天びんを提供する。
【課題を解決するための手段】
【０００９】
本考案の電子天びんは、両側面ガラスを開閉可能に嵌合した風防ケースと外部と電気接続を行なうソケットを後部に配設した収納室とを計量皿を支承する計量本体部上に配設して秤量室を形成する電子天びんにおいて、前記収納室に電源部を収納するとともに、前記計量本体部の後部に、前記側面ガラスの開閉路への外部との接続ケーブルの侵入を阻止するケーブル侵入阻止手段を設けたものである。
さらに前記ケーブル侵入阻止手段は、接続ケーブルを係止する係止部位と盗難防止リングチェーンを巻着する貫通孔を設けたケーブル係止部位を有するものである。
【考案の効果】
【００１０】
本考案の電子天びんは、電源部を計量本体部より分離するとともに、その後方上方位置への移設と各種の接続ケーブルを係止する部位を有するケーブル係止部材の低位置への取り付けにより、電源部の発熱に起因する計量値や応答時間の変動を低減させることが出来るとともに、風防ケースの開閉ガラスと接続ケーブルとの接触が無くなる。また、盗難防止部材に各種の接続ケーブルを係止する部位を設けることにより接続ケーブル係止部材を別に設ける必要がなくなる。
【図面の簡単な説明】
【００１１】
【図１】本考案の実施例による電子天びんの側面図（Ａ）と背面図（Ｂ）である。
【図２】実施例に係るケーブル係止部材の上面図（Ａ）と背面図（Ｂ）である。
【図３】ケーブル係止部材の変形例の上面図（Ａ）と背面図（Ｂ）である。
【図４】盗難防止機能付のケーブル係止部材の上面図（Ａ）と背面図（Ｂ）である。
【図５】従来の電子天びんの外観斜視図である。
【図６】従来の電子天びんの上面図（Ａ）と背面図（Ｂ）である。
【考案を実施するための形態】
【００１２】
以下図面を参照しながら本考案の電子天びんを詳述する。図１は本考案による電子天びん１の側面図（Ａ）と背面図（Ｂ）、図２は実施例に係るケーブル係止部材の上面図（Ａ）と背面図（Ｂ）である。以下の図において、図５〜図６に示した電子天びん１０と同一機能の構成品には同一符号を用いて示す。
【００１３】
本電子天びん１は、図１に示すとおり前面に計量レンジ切換えや校正等を指令する複数個の操作スイッチ２１および計量値を表示する表示器２２を装着し、計量皿２３を支承してその荷重を検出する荷重検出部２４と荷重検出信号と操作スイッチ２１からの指令信号に基づき重量計量値を算出して表示器２２に計量値を表示させる演算制御部２５を内設し、後面に後述の各種のケーブル（コードとも称す）のガラス開閉路への侵入を阻止するため、ケーブルを係止するケーブル係止部位を設けたケーブル係止部材９を固設した計量本体部２を下部に配置し、その上部に風防ケース３と電源部５１を内設した収納室５を配設して秤量室４を形成している。
【００１４】
前記風防ケース３は枠体３５に右側面ガラス３１、左側面ガラス３２および上面ガラス３３を前後に移動可能に、前面ガラス３４を固定して嵌合させたものである。前記収納室５の後面にＡＣ電源あるいはＡＣアダプタからの電源供給ケーブル６を接続するソケット５２とデータ通信用のＩ／Ｏケーブル７を接続するソケット５３がほぼ同一高さで固設され、その上部に複数の放熱用長穴５ａが形成され、底部には計量本体部２と電気接続するコネクタ５４が固設されている。
【００１５】
また、前記ケーブル係止部材９は、図２に示すとおり前記電子天びん１に接続されるケーブルの途中を係止する縦溝９１ａ、９１ｂを形成した係止本体９１とその取付ネジ９２および挿入された電源供給ケーブル６およびＩ／Ｏケーブル７を押圧するバネ部材９３とその取付ネジ９４から構成されている。
【００１６】
前記電子天びん１において、電源供給ケーブル６はソケット５２に挿入された後、余分な弛みを設けずその延長位置で係止本体９１の縦溝９１ａにバネ部材９３に抗して挿入された後、バネ部材９３による復元押圧力によって抜け出しが防止される。また、Ｉ／Ｏケーブル７はソケット５３に挿入された後、Ｉ／Ｏケーブル７の延長位置が縦溝９１ｂ内に前記電源供給ケーブル６と同様の手順でケーブル係止部材９に係止される。
【００１７】
本電子天びん１の電源供給ケーブル６とＩ／Ｏケーブル７がともにケーブル係止部材９に係止され、その係止点が右側面ガラス３１または左側面ガラス３２の下辺高さより下位位置になるので、係止点以下でケーブルが左右に開いている場合でも両側面ガラスを開閉しても両ケーブルとの接触が無くなる。また、電源部５１は計量本体部２の最後部に立設した収納室５に内設されるので、その発熱により熱せられた内部空気は、複数の放熱用長穴５ａから外部に放出される。これにより計量本体部２内と秤量室４内の温度差は小さくなり、上昇気流も減少し計量値や応答時間の変動が低減される。
【００１８】
なお、係止本体９１を溶接により収納室５に固定したり、収納室５と一体成型することにより、係止本体９１を収納室５に固定するための取付ネジ９２を省略することもできる。また、図２（Ａ）の斜線で示すくり抜き部位９１ｄ、９１ｅを形成し、縦溝９１ａ、９１ｂの内側面に内方向の弾性を持たせることにより、バネ部材９３、取付ネジ９４を省略することもできる。
【００１９】
前記ケーブル係止部材９の変形例であるケーブル係止部材９Ａを図３に示す。図３はケーブル係止部材９Ａの上面図（Ａ）と背面図（Ｂ）である。このケーブル係止部材９Ａは係止本体９１とプレート９５から構成され、電源供給ケーブル６を縦溝９１ａに、Ｉ／Ｏケーブル７を縦溝９１ｂに挿入した後、プレート９５を取付ネジ９４で固定して両ケーブルの抜け出しを防止する。
【００２０】
図４は前記ケーブル係止部材９の変形例であるケーブル係止部材９Ｂの上面図（Ａ）と背面図（Ｂ）である。盗難防止リングチェーン９６を結合したこのケーブル係止部材９Ｂは、ケーブルを挿入する縦溝９１ａ、９２ａと盗難防止リングチェーン９６を巻着する貫通孔９１ｃを形成した係止本体９１Ａとその取付ネジ９２および挿入されたケーブルを押圧するバネ部材９３とその取付ネジ９４から構成される。
【００２１】
本考案の電子天びんは、上記実施例に限定されるものではなく、例えば使用するケーブルの形状や個数に対応して形状や縦溝の個数を変えることができる。
【産業上の利用可能性】
【００２２】
風防ケース付高精度の電子天びんに利用できる。
【符号の説明】
【００２３】
１  電子天びん
２  計量本体部
３  風防ケース
４  秤量室
５  収納室
５Ａ  収納室
５ａ  放熱用長穴
６  電源供給ケーブル
７  Ｉ／Ｏケーブル
９  ケーブル係止部材
９Ａ  ケーブル係止部材
９Ｂ  ケーブル係止部材
１０  電子天びん
１１  盗難防止部材
２０  計量本体部
２１  操作スイッチ
２２  表示器
２３  計量皿
２４  荷重検出部
２５  演算制御部
３１  右側面ガラス
３２  左側面ガラス
３３  上面ガラス
３４  前面ガラス
３５  枠体
５１  電源部
５２  ソケット
５３  ソケット
５４  コネクタ
９１  係止本体
９１Ａ  係止本体
９１ａ  縦溝
９１ｂ  縦溝
９１ｃ  貫通孔
９１ｄ  くり抜き部位
９１ｅ  くり抜き部位
９２  取付ネジ
９３  バネ部材
９４  取付ネジ
９５  プレート
９６  盗難防止リングチェーン
【図１】
0003157257.tif 000003
【図２】
0003157257.tif 000004
【図３】
0003157257.tif 000005
【図４】
0003157257.tif 000006
【図５】
0003157257.tif 000007
【図６】
0003157257.tif 000008